(57)【特許請求の範囲】
【請求項１】
キャビネットと、前記キャビネット内に配した収納ラックと、前記収納ラックを昇降自在に支持する略Ｓの字型の回転アームと略くの字型の回転アームを備えた昇降支持機構とで構成され、前記収納ラックの最大降下位置において、前記キャビネットの底面から前記収納ラックの底面までの距離を４００〜５００mmとした昇降式収納装置。
【請求項２】
キャビネットと、前記キャビネット内に配した収納ラックと、前記収納ラックを昇降自在に支持する略Ｓの字型の回転アームと略くの字型の回転アームを備えた昇降支持機構とで構成され、前記収納ラックの最大降下位置において、前記キャビネットの背面から前記収納ラックの背面までの距離を５００〜７００mmとした昇降式収納装置。
【請求項３】
請求項１または２の昇降式収納装置を用い、前記昇降式収納装置の下方に収納部を設置した収納システム。
【請求項４】
請求項１または２の昇降式収納装置を用い、前記昇降式収納装置の下方にカウンター部を設置した収納システム。
【発明の詳細な説明】
【０００１】
【発明の属する技術分野】
本発明は、昇降式の収納装置に関するものである。
【０００２】
【従来の技術】
従来、この種の収納装置は特開平７−３０３５３６号公報に記載されているようなものがある。この装置は図７に示したように、キャビネット１と、キャビネット１内に設けた収納ラック２と、収納ラック２を昇降自在に支持する２本の回転アーム３、４とで構成されていた。収納ラック２は、回転アーム３、４の旋回動作により昇降させることができ、収納ラック２を引き降ろすことにより、高所設置のキャビネット１から収納ラック２を降下させて、収納物を低位置で出し入れすることができるようになっていた。
【０００３】
【発明が解決しようとする課題】
しかしながら、従来の収納装置では、収納ラック２の降下量が小さく、収納ラック２を最大限降下させた場合でも、背の低い女性などにとっては、収納ラック２の内部が十分見えなかったり、収納ラック２の最上部まで手が届かないという課題を有していた。
【０００４】
また、降下量を増大させたとしても、それが大きすぎる場合には、収納装置の下方に設けたカウンター等の上に置いた設置物に収納ラックが衝突してしまうという課題が発生してしまう。
【０００５】
【課題を解決するための手段】
本発明は上記課題を解決するために、キャビネットと、前記キャビネット内に配した収納ラックと、前記収納ラックを昇降自在に支持する略Ｓの字型の回転アームと略くの字型の回転アームを備えた昇降支持機構とで構成され、前記収納ラックの最大降下位置において、前記キャビネットの底面から前記収納ラックの底面までの距離を４００〜５００mmとしたものである。
【０００６】
上記発明によれば、収納ラックの最大降下位置において、キャビネットの底面から収納ラックの底面までの距離を４００mm以上とすることにより、約９０％の成人女性であれば、収納ラックの内部が十分確認でき、かつ収納ラックの最上部まで収納物を出し入れできる使い勝手の良い収納装置を提供することができる。また、同距離を５００mm以下とすることにより、収納装置の下方にカウンター等を設け、その天面に炊飯器やビールビン等の設置物が置かれている場合でも、それら収納物と収納ラックが衝突することなく、収納ラックを昇降させることができる。
【０００７】
【発明の実施の形態】
本発明は、請求項１に記載のように、キャビネットと、前記キャビネット内に配した収納ラックと、前記収納ラックを昇降自在に支持する略Ｓの字型の回転アームと略くの字型の回転アームを備えた昇降支持機構とで構成され、前記収納ラックの最大降下位置において、前記キャビネットの底面から前記収納ラックの底面までの距離を４００〜５００mmとしたものである。収納ラックの最大降下位置において、キャビネットの底面から前記収納ラックの底面までの距離を４００mm以上とすることにより、約９０％の成人女性であれば、収納ラックの内部が十分確認でき、かつ収納ラックの最上部まで収納物を出し入れできる使い勝手の良い収納装置を提供することができる。また、同距離を５００mm以下とすることにより、収納装置の下方にカウンター等を設け、その天面に炊飯器やビールビン等の設置物が置かれている場合でも、それら収納物と収納ラックが衝突することなく、収納ラックを昇降させることができる。
【０００８】
また、請求項２の昇降式収納装置は、キャビネットと、前記キャビネット内に配した収納ラックと、前記収納ラックを昇降自在に支持する略Ｓの字型の回転アームと略くの字型の回転アームを備えた昇降支持機構とで構成され、前記収納ラックの最大降下位置において、前記キャビネットの背面から前記収納ラックの背面までの距離を５００〜７００mmとしたものである。収納ラックの最大降下位置におけるキャビネット背面から収納ラック背面までの距離を５００mm以上とすることにより、収納ラックは前方へ大きく引き出される。このため、キャビネットの下方に収納部を設置し、収納物の突起部が収納部から突出した状態でも、収納ラックを昇降させることができる。また、収納ラックの下方にカウンター部を設置した場合でも、最大降下位置における収納ラックの背面は、カウンター部の縁部より外側に位置することから、カウンター部の天面に設置物を置いたままの状態でも、設置物に衝突することなく、収納ラックを昇降させることができる。
【０００９】
また、請求項３の収納システムは、請求項１または２の昇降式収納装置を用い、前記昇降式収納装置の下方に収納部を設置したものであり、昇降ラックを前方下方に昇降させる場合には、キャビネットの下方に収納部を設けても収納ラックの昇降動作を阻害することはなく、収納空間として利用できる。さらに、収納ラックの最大降下位置において、キャビネットの背面から収納ラックの背面までの距離を５００〜７００mmとした場合などは、収納ラックが前方へ大きく引き出されるため、収納部から収納物の一部が突出した状態でも、収納物と収納ラックが衝突することなく、収納ラックを昇降させることができ、昇降式の収納ラックとキャビネット下の収納部を両者とも有効利用できる。
【００１０】
また、請求項４の収納システムは、請求項１または２の昇降式収納装置を用い、前記昇降式収納装置の下方にカウンター部を設置したものであり、キッチンカウンター等の一般的高さのカウンターであれば、収納ラックの最大降下位置でも、カウンター部の天面から収納ラックの底面までの間に空間が存在するため、カウンター部に置いた設置物に収納ラックが衝突することを防止する。また、収納ラックが前方へ大きく引き出される構成では、背の高い設置物をカウンター上に置いた場合でも、収納ラックと衝突することはなく、昇降式の収納ラックとカウンター部の上部およびカウンター部の下部の空間をすべて有効に利用できる。
【００１１】
【実施例】
以下、本発明の実施例について図面を用いて説明する。
【００１２】
（実施例１）
図１は本発明の実施例１の昇降式収納装置の格納状態における側面図、図２は同収納装置の引出し状態における側面図、図３は同収納システムの側面図である。
【００１３】
図において、収納ラック２は、昇降支持機構によってキャビネット１に昇降自在に支持されている。昇降支持機構は平行リンクを形成する２本の回転アーム３、４から構成されており、枢軸５、６でキャビネット１側に枢支され、枢軸７、８で収納ラック２に枢支されている。キャビネット１は、前方を開放した構成であり、その開放部には開閉可能な扉体９を設けている。また、収納ラック２の底面１０は、前面から背面部まで全てを平面形状としており、収納ラック２を動作させるハンドル部１１を収納ラック２に設けている。
【００１４】
回転アーム３、４は、収納ラック２の両側に設置しており、左右の回転アームの動作を同期させる左右連結手段１２を枢軸５付近の設け、収納ラック２の最上部には収納ラック２の左右の側板を連結する略コの字状の連結バー１３を設けている。
【００１５】
この例では、キャビネット１は、標準的な厨房用ウォールキャビネットを想定し、外寸で奥行き３５０mm、高さ７００mmとし、収納ラック２の最大降下位置において、キャビネット１の底面１４から収納ラック２の底面１０までの距離が約４５０mmとなるようにストッパーで規制している。また、キャビネット１の天面１５は床面１６から２３００mmの位置に設置しており、収納ラック２の最大降下位置において、床面１６から収納ラック２の底面１０までの距離は１１００〜１２００mmとなる。また、収納ラック２の高さＡは、約６００mmであることから、床面１６から収納ラック２の最上部１７までの距離は１７００〜１８００mmとなる。
【００１６】
図３の収納システムは、上記構成の昇降式収納装置の下方にカウンター部１８を設置しており、このカウンター部１８は、キッチンカウンター等の一般的カウンターとし、天面１９の高さは床面１６より８５０mm、奥行きは６００mmとした。
【００１７】
また、回転アーム３、４は屈曲した形状としており、前方側の回転アーム３は略くの字型、後方側の回転アーム４は略Ｓの字型とし、両方の回転アーム３と４は、同一平面内に設置している。
【００１８】
また、回転アーム３、４の枢軸５、６は軸受ユニット２０に設置し、この軸受ユニット２０をキャビネット１の内面に固定している。この軸受ユニット２０の内部には、収納ラック２の移動に対して作用するばね等の弾性体２１とダンパ等の緩衝装置２２を設置している（図１にのみ記載）。
【００１９】
次に動作、作用について説明すると、ハンドル部１１を持って収納ラック２を動作させると、回転アーム３、４の旋回によって収納ラック２は昇降する。回転アーム３、４は平行四辺形を構成しているため、水平を保ったまま、収納ラック２を昇降させることができる。キャビネット１を厨房等の高所に設置した場合には、収納ラック２を下方へ引き降ろして利用することができ、踏み台等を使用せずに手元で物品の出し入れを行うことができる。この時、左右の回転アーム３、４の動きは左右連結手段１２によって同期されており、左右の回転アーム３、４が捩れることなく、安定して収納ラック２を移動させることができる。
【００２０】
また、連結バー１３は収納ラック２の強度を向上させ、収納ラック２が傾いたり、捩れたりすることを防止し、昇降操作が安定化する。さらに、連結バー１３は、収納ラック２に収納可能な収納物の高さ制限位置を示しており、収納可能高さ以上に収納物を収納してしまうことを防止する。
【００２１】
収納ラック２の最大降下位置における、キャビネット１の底面１４から収納ラック２の底面１０までの距離Ｂが４００mmであれば、約９０％の成人女性であれば、収納ラック２の最上部１７まで収納物を出し入れすることができる。収納ラック２の高さＡは、約６００mmであり、図のように、高さ２３００mmの位置にキャビネットを設置した場合、収納ラック２降下時における、床面から収納ラック２の最上部１７までの距離Ｃは、約１８００mmとなる。出し入れ可能な高さは、およそ両腕を上げた状態の親指の高さまでであり、指関節までの高さとすることができる。したがって、指先までの高さ（上肢挙上指先端高）から指先の長さ（第三指長）を引いた高さと考えると、成人女性（老人は除く）では、上肢挙上指先端高および第三指長の１０パーセンタイル値は約１８７０mmおよび約７０mmであることから、出し入れ可能な高さは１８００mmとなる。つまり、キャビネット１の底面１４から収納ラック２の底面１０までの距離が４００mm以上であれば、収納ラック２の最上部１７の高さは約１８００mm以下となり、ほとんどの女性は、収納ラック２の全収納容積を有効に利用することができる。
【００２２】
なお、好ましくは、キャビネット１の底面１４から収納ラック２の底面１０までの距離Ｂは４５０mm以上であることが望ましい。この距離Ｂを４５０mmとすると、図３のように、床面１６より収納ラック２の上の棚２３までの高さは約１４００mm、収納ラック２の最上部１７までの高さは約１７５０mmまで降下する。成人女性（老人は除く）の目の高さの１０パーセンタイル値は１４１０mmであることから、上の棚１８の内部も容易に確認することができる。ちなみに、図７の従来の収納装置では、キャビネット１の底面１４から収納ラック２の底面１０までの距離Ｂは約２６０mmであり、上の棚のは目線高さ以上であり、しかも収納ラックの最上部に手が届かない。
【００２３】
したがって、収納ラック２の最大降下位置において、キャビネット１の底面１４から収納ラック２の底面１０までの距離Ｂを４００mm以上、好ましくは４５０mm以上とすることにより、収納ラック２の内部が十分確認でき、かつ収納ラック２の最上部１７まで手が届くような使い勝手の良い収納装置を提供することができる。
【００２４】
また、キャビネット１の底面１４から収納ラック２の底面１０までの距離Ｂが４５０mmの場合には、収納装置の下方にカウンター部１８を設け、その天面１９に炊飯器やビールビン等の設置物２４が置かれている場合でも、収納ラック２の底面１０がそれら設置物２４に衝突することはない。図３のように、一般にキッチンカウンター等の高さである８５０mm高さのカウンター部１８とした場合、収納ラック２の最大降下位置において、収納ラック２の底面１０からカウンター部１８の天面１９までの距離Ｄは約３００mmとなる。キッチン空間を想定すると、カウンター部１８に置く設置物２４は、電子レンジや食器洗い乾燥機などの固定型の機器を除くと、電気炊飯器はおよそ２８０mm以下、なべ類は通常は２００mm以下、ビールビンは３００mm以下、他の調味料類の容器も２００mm以下であり、ほとんどの物が３００mm以下である。このため、収納ラック２の底面１０からカウンター部１８の天面１９までの距離Ｄが約３００mm以上であれば、これらの設置物２４との衝突が防止できる。
【００２５】
カウンター部１８の高さは、８００〜８５０mmが一般であり、８００mm高さのカウンター部１８を設けた場合に３００mmの空間を確保するためには、キャビネット１の底面１４から収納ラック２の底面１０までの距離は５００mm以下である必要がある。したがって、このキャビネット１の底面１４から収納ラック２の底面１０までの距離は４００〜５００mmとすることにより、収納ラック２の内部が十分確認でき、かつ収納ラック２の最上部１７まで収納物を出し入れできる使い勝手の良い収納装置を提供することができる。さらに、収納装置の下方にカウンター部１８を設けた場合に、カウンター上に置いた設置物２４に衝突することなく、収納ラック２を昇降させることができる。
【００２６】
図３に示したように、昇降式収納装置とその下方にカウンター部１８を設けた収納システムにおいては、昇降式の収納ラック２とカウンター部１８の上面およびカウンター部１８の下部の空間をすべて有効に利用できる。
【００２７】
また、収納ラック２の最大降下位置において、床面１６から収納ラック２の底面１０までの距離Ｅを１１００〜１２００mmとした場合には、上記と同様の効果が得られる。
【００２８】
また、上記のように、収納ラック２の最大降下位置において、床面１６から収納ラック２の最上部１７までの距離Ｃが約１８００mm以下である場合には、収納ラック２の収納容積を有効に利用することができる。また、収納装置の下方にカウンター部１８を設置し、収納ラック２の高さを６００mmとした場合に、カウンター部１８の天面１９と収納ラック２の底面１０との距離Ｄを３００mm以上確保するためには、床面１６から収納ラック２の最上部１７までの距離は、１７００mm以上の必要がある。つまり、床面１６から収納ラック２の最上部１７までの距離Ｃを１７００〜１８００mmとすることにより、約９０％の成人女性であれば、収納ラック２の最上部１７まで手が届き、かつ収納ラック２の収納容積全体を有効に利用できる。
【００２９】
また、回転アーム３、４を図１に示したように屈曲した形状としており、回転アーム同士、あるいは回転アームとキャビネットとが衝突することを防止している。このため、２本の回転アーム３、４を同一の動作面内に設置することができ、回転アーム３、４の旋回のために必要な横方向の空間を小さくできることから、収納ラック２の幅を広くでき、収納容積が増大する。また、他の部分との接触を防止するために、回転アーム３、４の一部が軸方向（回転アームの平面方向）に屈曲した場合も考えられ、収納容積を損なわずに、接触を防止できる。
【００３０】
また、収納ラック２の動作に対して弾性体２１を作用させた場合には、収納ラック２を動作する際の操作力が小さくなるように作用し、より軽く収納ラック２を出し入れできる。また、弾性体２１の反発力を調整する機能を備えることにより、より快適な昇降操作を行うことができる。
【００３１】
また、収納ラック２の動作に対して作用する油圧ダンパ等の緩衝装置２２を用いた場合には、収納ラック２がゆっくりと動作するように作用し、収納ラック２が急に動作したり、危険速度で動作することを防止する。
【００３２】
また、図示していないが、収納ラック２を駆動する電動駆動手段を設けた場合には、収納ラック２の重量が大きい場合でも、電動駆動手段が収納ラック２を動作させる力を補助するため、作業者は軽い力で収納ラック２を移動させることがでる。また、電動駆動手段だけで収納ラック２を動作可能とした場合には、リモコン等により、自動的に駆動させることもできる。
【００３３】
なお、本実施例では、回転アーム３、４を収納ラック２の両側に設ける構成としたが、これに限定するものではなく、片側だけであったり、あるいは側面ではなく底面や背面に回転アームを設置する構成であっても同様の効果が得られる。
【００３４】
（実施例２）
図４は本発明の実施例２の昇降式収納装置の側面図、図５は同収納装置の平面図、図６は同収納システムの側面図であり、図１に示した実施例１と同じ構成要素には同一の符号を付与している。
【００３５】
構成は、実施例１と同様であり、収納ラック２の最大降下位置において、キャビネット１の背面２５から収納ラック２の背面２６までの距離Ｆを５００〜７００mmとし、収納装置の下方には棚体で構成した収納部２７を設置している。また、回転アーム３、４の形状は、回転アーム３は略くの字型、回転アーム４はI型とし、２本の回転アーム３、４は別々の平面内に設置している。
【００３６】
実施例１と同様の作用、効果が得られるが、収納ラック２の最大降下位置において、キャビネット１の背面２５から収納ラック２の背面２６までの距離Ｆを５００mm以上としているため、収納ラック２は前方へ大きく引き出される。このため、収納ラック２の下方に収納部２７を設け、その収納部２７にフライパンなど収納物２８の柄が突出した状態で収納されていても、収納物２８と収納ラック２が衝突することなく、収納ラック２を昇降することができる。フライパン等の一般的調理器具長さは４５０mm以下のものがほとんであり、収納物２８の高さと収納ラック２の移動軌跡の円弧形状を考慮しても、５００mm以上前方に降下した場合には、問題なく昇降ラック２を昇降できる。また、キャビネット１の奥行き寸法は３５０mmであり、収納部２７の奥行き寸法を同一の３５０mmとすれば、収納部２７の奥行きの２倍以上の長さの収納物を収納することは、安定性の点から考え難く、７００mm以上収納ラックを前方に引き出す必要はない。
【００３７】
また、収納装置の下方に設置したカウンター部１８が、キッチンカウンター等の一般的サイズである奥行き６００mmのカウンターであれば、降下状態の収納ラック２の背面２６は、そのカウンターの縁部より約１００mmの位置より外側に位置するため、背の高い設置物２４をカウンター部１８に置いた場合でも、収納ラック２が設置物２４に衝突することはない。
【００３８】
また、回転アーム３、４の形状が実施例１より簡素化されており、加工が容易に行え、材料取りの点からもコストダウンが図れる。図４のように収納ラック２の降下位置では、２本の回転アーム３、４は重なっているが、図５に示したように、２本の回転アーム３、４を別々の平面内に設置することにより、回転アーム３、４同士の接触を防止できる。
【００３９】
なお、回転アーム３、４の形状は、本実施例では略くの字型とI型とし、実施例１では略Ｓの字型の例を示したが、これに限定するものではなく、いかなる形状であってもよい。
【００４０】
また、収納部２７は、棚体で構成したが、これに限定するものではなく、キャビネット構造や、釣り下げ構造など他の構成であってもかまわない。
【００４１】
【発明の効果】
以上のように本発明によれば、収納ラックの最大降下位置において、キャビネットの底面から収納ラックの底面までの距離を４００〜５００mmとすることにより、約９０％の成人女性であれば、収納ラックの内部が十分確認でき、かつ収納ラックの最上部まで収納物を出し入れできる使い勝手の良い収納装置を提供することができる。
【００４２】
また、収納ラックの最大降下位置において、キャビネットの背面から収納ラックの背面までの距離を５００〜７００mmとした場合には、キャビネットの下方に収納部を設置し、収納物の突起部が収納部から突出した状態でも、収納ラックを昇降させることができる。また、収納ラックの下方にカウンター部を設置した場合でも、カウンター部の天面に設置物を置いたままの状態で、設置物に衝突することなく、収納ラックを昇降させることができる。
【００４３】
また、昇降式収納装置の下方に収納部を設置した収納システムでは、収納部に収納した収納物が収納ラックの昇降動作を阻害することはなく、昇降式の収納ラックとキャビネット下の収納部を両者とも有効利用できる。
【００４４】
また、昇降式収納装置の下方にカウンター部を設置した収納システムでは、収納ラックの最大降下位置でも、カウンター部の天面から収納ラックの底面までの間に空間が存在するため、カウンター部に置いた設置物に収納ラックが衝突することはなく、昇降式の収納ラックとカウンター部の上部およびカウンター部の下部の空間をすべて有効に利用できる。
【図面の簡単な説明】
【図１】  本発明の実施例１の昇降式収納装置の格納状態における側面図
【図２】  同昇降式収納装置の引出し状態における側面図
【図３】  同収納システムの側面図
【図４】  本発明の実施例２の昇降式収納装置の側面図
【図５】  同昇降式収納装置の平面図
【図６】  同収納システムの側面図
【図７】  従来の昇降式収納装置の側面図
【符号の説明】
１  キャビネット
２  収納ラック
３、４  回転アーム（昇降支持機構）
１０  収納ラックの底面
１４  キャビネットの底面
１６  床面
１７  収納ラックの最上部
１８  カウンター部
２５  キャビネットの背面
２６  収納ラックの背面
２７  収納部
【図１】
0003714037.tif 000002
【図２】
0003714037.tif 000003
【図３】
0003714037.tif 000004
【図４】
0003714037.tif 000005
【図５】
0003714037.tif 000006
【図６】
0003714037.tif 000007
【図７】
0003714037.tif 000008